(57)【特許請求の範囲】
【請求項１】
ネットワーク通信最適化システムであって、
ネットワークにわたりデータを送信及び受信するトランシーバと、
実際のデータ通信及びアプリケーションベースのレイテンシ測定の関数として、ネットワーク輻輳及びレイテンシを検出する信号品質アナライザと、
所定のデータタイプ階層に基づき、信号品質が低下する期間の間、前記トランシーバにより送信される現在のデータタイプを段階的に縮小する通信コントローラと、
縮小されたデータ通信の間、省略されるギャップデータを格納するバッファとを有し、
前記データタイプ階層が、最高から最低という優先度の順に、警報データ、警報反映概要データ及びダウンサンプリングされた波形データ、概要データ、波形データ、パラメータデータ及びイベントデータ、傾向アップロードデータ、ローカル・キャッシュ・データ、及び文書アップロードデータというデータタイプのグループを含み、最低の優先度のデータタイプは、より高い優先度のデータタイプの前に通信から省略される、ネットワーク通信最適化システム。
【請求項２】
デバイス・データ又は患者生理データを提供することが可能な１つ又は複数の生理センサ及び／又はデバイスから得られる前記トランシーバからのデータを受信する中央サーバを更に含み、病院ネットワークにおいて使用される、請求項１に記載のシステム。
【請求項３】
それぞれ、ネットワーク輻輳又はレイテンシのレベルを決定するため、送信されたデータパケットに関して受信される確認応答を評価する、確認応答アナライザ及びレイテンシアナライザを更に含む、請求項２に記載のシステム。
【請求項４】
前記通信コントローラが、輻輳がない又は低い期間の間の完全なデータ通信から、高い輻輳の期間の間の警報の通信にまでダウンさせることにより前記トランシーバにより送信される現在のデータの量を変化させる、請求項２に記載のシステム。
【請求項５】
前記信号品質アナライザが、信号品質の利用可能性を連続して評価し、前記通信コントローラは、現在の信号品質の利用可能性の関数として、現在のデータ通信を増加又は減少させる、請求項４に記載のシステム。
【請求項６】
縮小されたデータ通信の間のデータ省略によりもたらされるデータギャップを充填するため、完全なデータタイプの通信が可能なレベルまで信号品質の利用可能性が増加するとき、前記通信コントローラが、バッファリングされたギャップデータの通信を開始する、請求項５に記載のシステム。
【請求項７】
前記通信コントローラが、検出されたネットワーク輻輳又はレイテンシに基づき、現在のデータ通信を縮小する前に、バッファリングされたギャップデータの通信を中断する、請求項６に記載のシステム。
【請求項８】
前記データタイプ階層が、複数のデータタイプを含み、警報データタイプは、高いネットワーク輻輳の期間の間でさえ警報が送信されることを確実にするため、他のデータタイプと比べて最も高い優先度を持つ、請求項２に記載のシステム。
【請求項９】
警報タイプのデータが、患者を監視するための最低限の数の波形、警報及びパラメータを含む、請求項８に記載のシステム。
【請求項１０】
請求項１に記載のシステムを用いて、ネットワーク輻輳に基づきデータ通信を変化させる方法において、
ネットワーク上で信号品質の利用可能性を連続して監視するステップと、
信号品質の利用可能性が第１の所定の閾値を超えるとき、現在のデータタイプをすべて送信するステップと、
信号品質の利用可能性が、Ｎ個の連続した所定の閾値のそれぞれを下回るとき、省略されることになる所定のデータタイプ階層に基づき、現在のデータタイプを段階的に縮小するステップであって、Ｎは、正数であり、前記第１の所定の閾値を含む、ステップと、
後の通信のため省略されるデータをバッファリングするステップと、
信号品質の利用可能性が、前記第１の所定の閾値を含む前記Ｎ個の連続した所定の閾値のいずれかを上回るとき、前記所定のデータタイプ階層に基づき、現在のデータタイプを段階的に増加させるステップと、
信号品質の利用可能性が前記第１の所定の閾値を超えるレベルにまで戻るとき、前記省略されたデータを送信するステップとを有し、
前記データタイプ階層が、最高から最低という優先度の順に、警報データ、警報反映概要データ及びダウンサンプリングされた波形データ、概要データ、波形データ、パラメータデータ及びイベントデータ、傾向アップロードデータ、ローカル・キャッシュ・データ、及び文書アップロードデータというデータタイプのグループを含み、最低の優先度のデータタイプは、より高い優先度のデータタイプの前に通信から省略される、方法。
【請求項１１】
ネットワーク輻輳に基づきデータ通信を最適化する方法において、
ネットワーク上で信号品質の利用可能性を連続して監視するステップと、
信号品質の利用可能性が第１の所定の閾値を超えるとき、現在のデータをすべて送信するステップと、
信号品質の利用可能性が、Ｎ個の連続した所定の閾値のそれぞれを下回るとき、連続して省略されることになる所定のデータタイプ階層に基づき、現在のデータタイプを段階的に縮小するステップであって、Ｎは、正数であり、前記第１の所定の閾値を含む、ステップと、
後の通信のため省略されるデータをバッファリングするステップと、
信号品質の利用可能性が、前記第１の所定の閾値を含む前記Ｎ個の連続した所定の閾値のいずれかを上回るとき、前記所定のデータタイプ階層に基づき、現在のデータタイプを段階的に増加させるステップと、
信号品質の利用可能性が前記第１の所定の閾値を超えるレベルにまで戻るとき、前記省略されたデータを送信するステップとを有し、
前記データタイプ階層が、最高から最低という優先度の順に、警報データ、警報反映概要データ及びダウンサンプリングされた波形データ、概要データ、波形データ、パラメータデータ及びイベントデータ、傾向アップロードデータ、ローカル・キャッシュ・データ、及び文書アップロードデータというデータタイプのグループを含み、最低の優先度のデータタイプは、より高い優先度のデータタイプの前に通信から省略される、方法。
【請求項１２】
前記送信されるデータを受信する病院ネットワークにおいて使用され、前記送信されるデータが、１つ又は複数のセンサ、患者モニタ、又は生理的データ送信デバイスにより収集される情報を有する、請求項１１に記載の方法。
【請求項１３】
信号品質の利用可能性を決定するため、送信されたデータパケットに関する確認応答及びレイテンシ情報を解析するステップを更に有する、請求項１２に記載の方法。
【請求項１４】
信号品質の利用可能性が前記Ｎ番目の所定の閾値以下であるとき、患者モニタリングの警報情報だけが送信される、請求項１１に記載の方法。
【請求項１５】
前記警報情報が、警報及び、前記警報をもたらす監視対象のパラメータに関する波形を含む、請求項１４に記載の方法。
【請求項１６】
信号品質の利用可能性が前記第１の所定の閾値のレベルにまで、又は前記第１の所定の閾値を超えるレベルにまで回復したかを決定するステップと、信号品質の利用可能性が前記第１の所定の閾値のレベルにまで、又は前記第１の所定の閾値を超えるレベルにまで回復したとき、完全なデータタイプの通信を行うステップとを更に有する、請求項１１に記載の方法。
【請求項１７】
一旦完全なデータタイプの通信が再開され、現在のデータパケットの所定の割合に対して確認応答が受信されれば、バッファリングされたギャップデータを送信するステップを更に有する、請求項１６に記載の方法。
【請求項１８】
送信された現在のデータパケットに対する確認応答が所定の許容可能な閾値レベル以下に低下する場合、ギャップデータの通信を終了するステップを更に有する、請求項１７に記載の方法。
【請求項１９】
請求項１１に記載の方法を実行するための命令を実行するソフトウェアを搬送するコンピュータ可読記憶媒体。
【請求項２０】
請求項１１に記載の方法を実行する手段を含む、データ通信を最適化する装置。
【発明の詳細な説明】
【技術分野】
【０００１】
本発明は、患者モニタリングに特定の用途を見出す。特に、健康ネットワークを介した生理モニタリングに関する。しかしながら、記載される技術が、他の情報送信及び通信シナリオ又は技術において適用されることもできる点を理解されたい。
【背景技術】
【０００２】
コンテンションベースの有線及び無線ネットワークの利用は、安全なレベルの生理モニタリングに関する通信層を提供する。プライベートネットワーク及び保護された無線スペクトルの使用は、この努力をサポートする。多くの場合、アプリケーションが既存の、かつ共有の（例えば、プライベートでない）インフラストラクチャ上で実行される必要がある場合、有線帯域幅及び無線スペクトル（まとめて信号品質と呼ばれる）は利用可能（available）でない。
【発明の概要】
【発明が解決しようとする課題】
【０００３】
従来のシステムの１つの欠点は、干渉又は競合的な輻輳が、利用可能なネットワーク帯域幅の量を制限するとき、重要な情報がシステムを通過することを確実にするのが困難な点にある。いくつかのアプリケーションにおいて、このネットワークは、データレイテンシ及びドロップアウトが許容されない場合（例えばボイスオーバーＩＰ）、他のアプリケーションよりも高いトラフィック優先度として、特定のアプリケーションをサポートするよう適合的である。
【０００４】
しばしば、ローカルエリアネットワークは、病院ネットワークにおいて使用され、斯かるネットワーク上の負荷は、明らかに変化する。負荷が高い又は干渉が存在するとき、デバイスのいずれかに対して利用可能な信号品質は低く、ユーザが知覚する信号品質も貧弱になる。ネットワークが搬送することができる量より多くのデータをアップロードしようとデバイスが試みるとき、パケットは未配達状態となり、失われる等となる。これは、監視されるデータにおけるギャップを生み出し、警報アルゴリズムに供給するために必要な生理情報、又は再現（review）アプリケーションにおける再構成データの損失を生じさせる可能性がある。必要な確認（例えば、確認応答又は「ＡＣＫ」）の受信にデバイスが失敗するとき、及びいくつかの数のパケットが、失敗して受信されるか又は遅延されるとき、このデバイスは、接続を失ったと考え、新しい接続を再確立しよう試みることができる。これによって、データ及びモニタリングにおける破壊及びギャップが生じる。これは特に、生理波形データがギャップデータになるとき、トラブルになる。
【０００５】
従来の生理モニタリングシステムは、必要とされるアプリケーションデータを通過させるための固定された帯域幅を想定する。利用可能な信号品質を低下させる干渉が存在するとき、基本的なパフォーマンスは、通常は満たされず、ユーザは、モニタリングの損失に関して警報通知される。この場合も、斯かるシステムは通常、この接続を完全にシャットダウンし、適切な接続品質が存在するようになってから接続を再確立する。
【０００６】
本願は、上述した問題その他を克服する、新規で改良された生理モニタリングシステム及び方法を提供する。
【課題を解決するための手段】
【０００７】
１つの側面によれば、ネットワーク通信最適化システムが、ネットワークにわたりデータを送信及び受信するトランシーバと、実際のデータ供給及びアプリケーションベースのレイテンシ測定の関数として、ネットワーク輻輳及びレイテンシを検出する信号品質アナライザとを含む。このシステムは更に、所定のデータタイプ階層に基づき、信号品質が低下する期間の間、上記トランシーバにより送信される現在のデータタイプを選択的に縮小する通信コントローラと、縮小されたデータ通信の間、省略されるギャップデータを格納するバッファとを含む。
【０００８】
別の側面によれば、ネットワーク輻輳に基づきデータ通信を最適化する方法が、ネットワーク上で信号品質の利用可能性を連続して監視するステップと、信号品質の利用可能性が第１の所定の閾値を超えるとき、現在のデータをすべて送信するステップとを含む。この方法は更に、信号品質の利用可能性が、Ｎ個の連続した所定の閾値のそれぞれを下回るとき、逐次的に省略されることになる所定のデータ階層に基づき、現在のデータ通信を逐次的に縮小するステップであって、Ｎは、正数であり、上記第１の所定の閾値を含む、ステップと、省略されるデータ（又はネットワーク接続が存在しないときに取得される他のデータ）を後の通信のためバッファリングするステップとを含む。更に、この方法は、信号品質の利用可能性が、上記第１の所定の閾値を含む連続した上記Ｎ個の所定の閾値のいずれかを上回るとき、上記所定のデータタイプ階層に基づき、現在のデータ通信を逐次的に増加させるステップと、信号品質の利用可能性が上記第１の所定の閾値を超えるレベルにまで戻るとき、上記省略されたデータを送信するステップとを含む。
【０００９】
１つの利点は、帯域幅が減らされた期間の間でも通信リンクが完全に終了されるものではない点にある。
【００１０】
別の利点は、帯域幅がかなり減らされる期間の間でさえ、例えば、患者モニタリング警報といったより高い優先度のデータが送信されることを確実にする点にある。
【００１１】
別の利点は、このアプリケーションが、ターゲットクライアントに対してデータを得る能力に適合し、何が欠けているかを追跡し、従って、このデータが最終的にシステムリポジトリに行くことになる点にある。
【００１２】
別の利点は、上記適合的なデータアルゴリズムをサポートするために必要とされる専用の帯域幅に関して、特別なネットワーク上の考慮事項又は事前の同意が存在しない点にある。
【図面の簡単な説明】
【００１３】
【図１】ネットワークの輻輳又はレイテンシが存在する場合、デバイスとシステムとの間のデータをアプリケーションが抑えることにより、適合可能なデータ通信処理を利用するデータ通信最適化システムを示す図である。
【図２】信号品質の利用可能性の関数として、データタイプの階層的な関係の例を示すグラフを示す図である。
【図３】本書に説明される様々な側面による、信号品質の利用可能性の関数として、データ通信を選択的に調整する方法のフローチャートを示す図である。
【発明を実施するための形態】
【００１４】
以下の詳細な記載を読み及び理解することにより、当業者であれば、本願発明の更に追加的な利点を理解するであろう。
【００１５】
本発明は、様々な要素及び要素の配列の形式並びに様々なステップ及びステップの配列の形式を取ることができる。図面は、様々な側面を示すためだけにあり、本発明を限定するものとして解釈されるべきではない。
【００１６】
利用可能な信号品質の変動を検出し、アプリケーションアクセス及び通信コンテンツを自動的に抑制し、及び一旦期待されるネットワーク信号品質が再開すればデータ交換のための機構を提供する、システム及び方法が本書に記載される。これらのシステム及び方法は、有線及び無線医療ＬＡＮアプリケーションのための医療デバイス及び健康情報システムに特定の関連を持ち、重要なデータスループットが可変信号品質（有線及び無線帯域幅）インフラストラクチャにより損なわれるような他の領域にまで幅広く適用される。
【００１７】
図１は、適合可能なデータ取得処理を利用するデータ通信最適化システム１０を示す。この処理により、ネットワークの輻輳が存在する場合、デバイスとシステムとの間のデータ及びデータタイプをアプリケーションが抑える。このユニークな手法は、期待されるパフォーマンスレベルが維持されることを確実にし、更に、ギャップデータ（ネットワークに対して知らされないデータ）がデバイスによりキャッシュされ、十分な帯域幅が存在する後の時間に送信されるという方法を提供する。
【００１８】
このシステム１０は、病院ネットワークからデータを送信し、病院ネットワークからデータを受信するトランシーバ１２を含む。例えば病院ネットワークは、複数の患者モニタ、ワークステーション、中央サーバ１３を含むサーバ、非医療デバイス、アプリケーション等を有する。このトランシーバは、プロセッサ１６による処理のため、出力データをマルチプレクス化及び／又は変調し、入力データをデマルチプレクス化及び／又は復調するマルチプレクサ／デマルチプレクサ（ＭＵＸ／ＤＥＭＵＸ）１４に結合される。プロセッサは、入力データ（例えば、プリプロセス又はポストプロセスデータ）、ネットワークに対して送信されるデータ、及びデータを処理するため、信号品質を評価するため、利用可能な信号品質の関数としてデータ通信ボリュームを調整するためのアルゴリズム及び／又はルーチン等を格納するメモリ１８に結合される。
【００１９】
プロセッサは、ネットワーク輻輳を検出する及び定量化する信号品質アナライザ２０を含む。信号品質アナライザは、確認応答が受信された（例えば、ネットワークサーバ１３及び／又は他の受信デバイスによる成功した受信を示す）送信データパケットと、確認応答が送信されなかった送信パケットとの比率を定量化するＡＣＫ／ＮＡＣＫアナライザ２２を含む。この比率は、ネットワーク輻輳が存在すること、及び従って利用可能な信号品質が低下することを推測するため、信号品質アナライザにより使用される。信号品質アナライザは、アプリケーションベースのレイテンシアナライザ２７も含む。到達はするものの、遅く到達するデータが、受信側アプリケーションにより検出されることができ、適切なシステムスループットの決定に含まれることができる。ある実施形態において、レイテンシアナライザは所与のデータタイプに対するデータ読み出し数を解析する。この場合、データ読み出し数は、レイテンシアナライザがレイテンシを測定する高分解能クロック・カウンタを用いてエンコードされるデータパケットである。別の実施形態では、データそのものがスループット及びレイテンシを決定するために用いられる。これは、例えば伝送制御プロトコル（ＴＣＰ）、ユーザ・データグラム・プロトコル（ＵＤＰ）といった送信モード又は他の任意の適切な送信モードにおいてデータ測定が実行されることを可能にする。更に別の手法は、予め特定されたアプリケーションのための帯域幅を予約することに関連する。これは、サービス品質に依存することなく任意の通信ネットワークにおいて本書に記載されるシステム及び方法を使用することを容易にする。
【００２０】
信号品質アナライザ２０はオプションで、データタイプ階層において詳細に描写される所定の信号品質閾値の観点から、現在の信号品質データとの比較のため、過去の信号品質データの一時的（period）又は連続的な再調査を実行することができる。この過去の品質データは、ネットワークにおいて問題が生じる可能性という理由からシステム管理者に通知するだけでなく、医療アプリケーションにおけるデータ利用可能性が制限されるという理由から臨床ユーザに通知するためのトリガーとして、追加的に使用されることができる。通信コントローラ２４は、信号品質が低下する期間の間、又はレイテンシが増加される期間の間、データ通信ボリュームを減らすよう通信信号を形成する、所定のデータタイプを省略するためのルーチン（例えば、メモリに格納される）を実行する。信号品質が低下するにつれてデータタイプが省略される順番は、メモリ１８に格納される所定のデータタイプ階層２６の関数である。
【００２１】
プロセッサ１６は、複数の生理センサ、一般的な波形器（例えば、心電図等）といった生理波形器、警報器２１、及び／又は１つ又は複数の他のタイプの生理デバイス、及び／又は患者のパラメータ（例えば、心拍、血圧、呼吸数、ＳｐＯ２、又は、臨床決定のためのモニタリング並びに患者人口統計学及び報告を含む警告通知と共に監視若しくは使用されることができる他の任意のパラメータ）を表す患者データ部２５に追加的に結合される。これらのデバイスは、プロセッサ１６から病院ネットワークに出力されることになるデータを提供する。
【００２２】
送信されるデータは、トランシーバによりネットワークに送信される前に、変調及び／又はマルチプレクス化のため出力バッファ２８を介してプロセッサからＭＵＸへと渡される。（例えば、信号品質アナライザにより検出される信号品質の低下が原因で）データ通信が縮小される期間の間、通信コントローラは、データタイプ階層により定められる１つ又は複数のデータタイプを省略する。省略されたデータは、通信のために十分な信号品質が利用可能となるまで、ギャップデータを格納するギャップデータ・バッファ３０にキャッシュされる。
【００２３】
ある実施形態において、信号品質アナライザは、信号品質の利用可能性及び通信（delivery）レイテンシを連続して監視する。ＡＣＫ／ＮＡＣＫアナライザが、（例えば、所定の時間期間の間又は所定数のデータパケットに対して）ＮＡＣＫ又はかなりの通信遅延（レイテンシ）を全く検出しないとき、通信コントローラは、（例えば、省略の順番とは逆順で）この階層により定められる省略されたデータタイプを現在の通信へと再度加える。一旦、すべてのデータタイプが再度送信されるレベルにまで信号品質の利用可能性が増加されると、プロセッサは、ギャップデータ（例えば、縮小された通信及び信号品質の利用可能性が低い間、以前に省略されたデータ）を送信し始める。キャッシュされたギャップデータは、ギャップデータ・バッファ３０から取得され、ネットワークへの通信のためトランシーバに対してＭＵＸを介して上流側に渡される。
【００２４】
別の実施形態によれば、受信確認（例えば、ＡＣＫ）が受信されるまで、通信コントローラ２４は出力バッファ２８においてデータパケットを保持する。しかしながら、確認が受信されないとき（例えば、確認応答がない又は「ＮＡＣＫ」状態）、又はこのデータタイプに関する受信があまりに遅れるとき（例えば、レイテンシ状態）、このデータはギャップデータ・バッファ３０へと移動される。信号品質アナライザは、ＡＣＫ／ＮＡＣＫ及びレイテンシアナライザと連動して、うまく送信されていないパケットの数に基づき、どれくらいの信号が利用可能かを決定する。利用可能な帯域幅がフルより少ないとき、通信コントローラは、いくつかのパケットが格納されることをもたらすだけでなく、パケットの内容の変化も生じさせる。例えば、任意の帯域幅が利用可能である場合、警告又はこの警告を含むパケットが送信されることになる。利用可能な信号品質がもう少しある場合、ＥＣＧ信号が送信されることになる等である。このシステムが低下された信号品質で作動しているが、未配達のパケットは存在しないという場合、通信コントローラは、送信されている情報の量を増加させ始める。一旦現在のデータをすべて送信するのに十分な信号品質が検出又は再確立されると、通信コントローラは、ギャップデータ・バッファ２８におけるストレージから以前に省略されたギャップデータを送信するため、一層多くの信号品質を取得することを試みる。この態様で、受信位置（例えば、ネットワークサーバ、ワークステーション等）でのデータにおけるギャップが、完全なデータ履歴を提供するよう充填される。こうして、このシステム１０は、典型的な及び予想外の中断を、共有ネットワーク環境において遭遇するサービス品質にまで緩和し、信号品質の利用可能性の増加が検出される後の時間において、期待されるデータがネットワークに与えられることを確実にする。
【００２５】
図２は、信号品質の利用可能性の関数として、データタイプの階層的な関係の例を示すグラフ４０の説明である。ある実施形態において、データ通信は、ネットワークサーバ又は所与のデバイスが通信するすべてのデバイスに関する現在のスループットについての知識を用いて実行される。干渉、輻輳又は障害が原因で通信が損なわれ、制限されるが現存はしている接続を生じさせる場合、特定の最低限のパフォーマンス及び切れ目のない患者モニタリングが維持されることを確実にするため、ネットワーク上のデバイスは、どのデータの送信を停止し、どんな優先度で行うかに関する事前の合意を持つ。
【００２６】
図２によれば、複数の点Ａ〜Ｇが、帯域幅の利用可能性が低下する場合の異なる連続したレベルを示す。点Ａにおいて、完全な帯域幅が利用可能であり、こうして、現在のデータがすべて送信される。例えば、完全なデータは、以下に限定されるものではないが、Ｎを整数とするときＮ波の生理信号（例えば、ＥＣＧ、心拍、ＳｐＯ２、呼吸数、侵襲的血圧、圧力及びフローパターン等）、すべての患者のパラメータ、イベント、警報、概要データ（１つのベッドから別のベッドへと送信される生理データ）、記録、高い正確性の波断片データ、任意の利用可能な傾向アップロード、任意の利用可能な文書アップロード等を含むことができる。信号品質がいくらか低下する点Ｂにおいて、現在のデータ通信は、Ｎ波形、パラメータ、イベント、警報及び概要データにまで縮小される。信号品質の利用可能性が点Ａで示されるレベルにまで増加されるときに通信するため、省略されたデータはキャッシュされる。点Ｃにおいて、信号品質は更に低下し、現在のデータ通信は、イベントデータ及びパラメータデータのいくつかを除外するまでに更に縮小される。点Ｄにおいて、Ｎ波形のいくつかが省略される。点Ｅにおいて、概要データのいくつかが省略される。点Ｆにおいて、信号品質要件を更に縮小するため、波形がダウンサンプリングされ、概要データは、警報及び概要情報のみを含むまでに縮小される。点Ｇにおいて、警報及びパラメータ情報のいくつかだけが送信される。なぜなら、信号品質が、かなり制限されるからである。各点Ｂ〜Ｇにおいて、信号品質の低下が原因で省略される任意のデータ（例えば、点Ａのデータセットにリストされるデータ）は、後の通信のためギャップデータ・バッファにキャッシュされる。
【００２７】
即ち、「完全な信号品質」モードにおいて、このシステムは、生理的波形、パラメータ、警報及び他のアプリケーション要求のスーパーセットを受信することが可能である。信号品質が低下するにつれ、このシステムは、「完全な」通信信号品質が戻るまで、特徴を抑制し、及び／又はローカルにデータをキャッシュする。信号品質における更なる低下が検出される場合、通信が回復し、信号品質の利用可能性が増加するまで、バックグラウンドのアップロード（ギャップデータ及び／又は印刷要求）は停止される。
【００２８】
一層更なる低下が検出される場合、信号品質回復が検出されるまで、総生理的データセットに関する縮小が実行される（省略されたデータはギャップデータとしてマークされる）。このシステム１０は、患者のモニタリングを可能にするのに必要とされる最低限の数の波形、パラメータ及び警報にまで縮小する。更なる低下が検出される場合、このシステムは、回復するまで、ダウンサンプリングされた波データを低いビット分解能で送信し、主要な波（例えば、ＥＣＧ）だけを送信する。最小のデータスループットにおいて、このシステムは、回復まで、警報情報及び周期的な数値データだけを送信する。回復の間、システムは、最初に、すべての加入者からの完全な信頼性のリアルタイムデータを復元して、次に送信デバイスを用いてキャッシュされた又はギャップデータを優先させる。
【００２９】
前述の例は、本書に記載されるシステム及び方法と連動して使用されることができるデータタイプ階層を説明する。しかしながら、データタイプ階層は、上記の患者モニタリング・データタイプに限定されるものではなく、むしろ、本書に説明されるシステム及び／又は方法が使用されるネットワークにわたり送信される任意の種類又はタイプのデータ（例えば、ベンチレータ、静脈内薬物投与療器具及び供給ポンプ等といったインタフェース付きの（interfaced）デバイスからのデータ）を含むことができる点を理解されたい。更に、信号品質の利用可能性レベルは、信号品質の総量に対して均一又は線形に間隔を置かれる必要がなく、むしろ任意の所望の態様で規定又は配置されることができる。
【００３０】
図３は、本書に記載される様々な側面による、信号品質の利用可能性の関数として、データ通信を選択的に調整する方法のフローチャート図を示す。ステップ６０において、現在のデータの完全な又はフルのセットが、ネットワークに結合されるデバイスから送信される。ステップ６２において、利用可能な信号品質が評価される。本方法において様々なステップとして表されるが、信号品質の利用可能性の評価及び／又は検出は、図１に関して説明されるデータパケットを送信するデバイスにより受信されるＡＣＫの関数として、連続して実行される点を理解されたい。十分な信号品質が利用可能であり（例えば、すべての送信データパケットのうちのすべて又は少なくとも所定の割合に対して、このデバイスがＡＣＫを受信する）、及び、このデータタイプに対するデータレイテンシが所定のレベルを下回る場合、この方法は、ステップ６０に戻り、完全なデータ通信が続けられる。
【００３１】
十分な信号品質が利用可能でない（例えば、送信されたデータパケットのうちの所定の割合が、ＮＡＣＫを受信する、又はＡＣＫを受信しない）場合、又はデータレイテンシが、所定のレベルを超える場合、ステップ６４において、データタイプ階層により示される優先度に基づき、データ通信が縮小される。すると、１つ又は複数のデータタイプが現在の通信から省略される一方、省略されたデータは指定されたバッファにキャッシュされる。ステップ６６において、縮小されたデータセットが送信される。ステップ６８において、縮小されたデータ通信に対するレイテンシ及びＡＣＫ／ＮＡＣＫに関して、信号品質の利用可能性が評価される。縮小されたデータセットの通信に関して信号品質が十分でない場合、この方法はステップ６４に戻り、更なる通信縮小が実行される。
【００３２】
ステップ６８において、現在の通信ボリュームに関して十分な帯域幅が利用可能であると決定される場合、ステップ６９において、データ通信ボリュームを増加させるために十分な信号品質が存在するかどうかに関する決定がなされる。存在しない場合、この方法はステップ６８に戻り、データ通信は、現在の縮小されたボリュームで続く。存在する場合、ステップ７０において、データタイプ階層に基づき、（例えば、以前に省略されたデータタイプを含めることにより）通信データが増加される。ステップ７２において、増加されたデータセットが送信される。ステップ７４において、増加されたデータ通信に基づき、帯域幅利用可能性が再評価される。帯域幅が十分でない場合、この方法は、データタイプ階層に基づくデータ削減のためステップ６４に戻る。
【００３３】
ステップ７４において信号品質が十分である場合、ステップ７６において、完全な又はフルのデータセットが現在送信されているかどうかに関する決定が行われる。送信されていない場合、この方法は、データタイプ階層により定められるように、通信に含まれるデータタイプの更なる増加のためステップ７０に戻る。完全なデータが送信されている場合、ステップ７８において、完全な現在のデータセットの通信に加えて、バッファリングされたギャップデータ（例えば、縮小されたデータ通信の間、専用のバッファに格納される以前に省略されたデータ）が送信される。
【００３４】
本発明は、複数の実施形態を参照して説明されてきた。上記の詳細な説明を読み及び理解すると、第三者は、修正及び変更を思いつくことができる。それらの修正及び変更が添付の特許請求の範囲又はその均等物の範囲内にある限り、本発明は、すべての斯かる修正及び変更を含むものとして構築されることが意図される。
【図１】
0005542068.tif 000002
【図２】
0005542068.tif 000003
【図３】
0005542068.tif 000004